【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域に設けられ、遊技球が入球可能な第１始動口と、
前記遊技領域に設けられ、遊技球が入球容易な開状態と入球困難な閉状態とに変化する第２始動口と、
前記第１始動口への遊技球の入球を契機として乱数値を取得する第１乱数取得手段と、
前記第２始動口への遊技球の入球を契機として乱数値を取得する第２乱数取得手段と、
前記第１乱数取得手段により取得した乱数値に基づき第１の当否判定を実行する第１当否判定手段と、
前記第２乱数取得手段により取得した乱数値に基づき第２の当否判定を実行する第２当否判定手段と、
前記遊技領域に設けられ、前記第１の当否判定の結果又は前記第２の当否判定の結果に応じて開放されて遊技球が入球可能な大入賞口と、
前記第１の当否判定の結果又は前記第２の当否判定の結果が大当りとなる場合に、前記大入賞口の開放を伴う単位遊技を複数回繰り返す特別遊技を実行する特別遊技実行手段と、
前記第１の当否判定の結果および前記第２の当否判定の結果が所定確率で大当りとなる低確率状態と、前記第１の当否判定の結果および前記第２の当否判定の結果が前記所定確率よりも高確率で大当りとなる高確率状態とを有し、低確率状態もしくは高確率状態へ移行させる制御を行う抽選状態制御手段と、
通常入球状態と、当該通常入球状態よりも前記第２始動口へ入球容易となる入球容易状態とを有し、通常入球状態もしくは入球容易状態へ移行させる制御を行う入球状態制御手段と、
前記第１乱数取得手段により乱数値が取得された場合、第１当否判定許可条件を充足するまでの間、当該取得した乱数値を保留情報として所定の上限数まで記憶する第１保留記憶手段と、
前記第２乱数取得手段により乱数値が取得された場合、第２当否判定許可条件を充足するまでの間、当該取得した乱数値を保留情報として所定の上限数まで記憶する第２保留記憶手段と、
前記当否判定の結果を示唆する演出が表示される演出表示装置と、
或る保留情報に係る乱数値に基づく前記当否判定の結果が大当りとなる状況下、当該乱数値に係る特別遊技の実行終了後に消化される予定である一又は複数の保留情報内に特定保留情報が存在する可能性を示唆又は報知する保留内連荘演出の実行可否を決定する先読み予告制御手段とを備え、
前記特定遊技状態にて前記第２の当否判定の結果が大当りとなることで特別遊技が実行される場合、当該特別遊技の実行中において、保留内連荘演出を実行可能であり、
前記第２の当否判定の結果が大当りとなることで実行される特別遊技の種類として、賞球獲得期待値が第１の期待値となる第１の特別遊技と、賞球獲得期待値が前記第１の期待値よりも小さい第２の期待値となる第２の特別遊技とを含み、
前記第１の当否判定の結果が大当りとなることで実行される特別遊技の種類として第３の特別遊技を含み、
特別遊技の実行期間は、特別遊技の実行開始から初回となる単位遊技の実行開始までの待機期間である開始デモ期間と、初回となる単位遊技の実行開始から最終回となる単位遊技の実行終了までの単位遊技実行期間と、最終回となる単位遊技の実行終了から特別遊技の実行終了までの待機期間である終了デモ期間と、を含み、
低確率状態且つ通常入球状態において前記第１の当否判定の結果が大当りとなることで実行される第３の特別遊技の終了後に低確率状態且つ入球容易状態へ移行する場合、終了デモ期間として第１時間が設定され、
低確率状態且つ入球容易状態において前記第２の当否判定の結果が大当りとなることで実行される第１の特別遊技の終了後に高確率状態且つ入球容易状態へ移行する場合、終了デモ期間として前記第１時間よりも長い第２時間が設定され、
低確率状態且つ入球容易状態において前記第２の当否判定の結果が大当りとなることで第１の特別遊技が実行される場合は、当該第１の特別遊技の実行終了後に消化される予定である一又は複数の保留情報内に特定保留情報が存在しても、当該第１の特別遊技の実行中に保留内連荘演出を実行しない一方、高確率状態且つ入球容易状態において前記第２の当否判定の結果が大当りとなることで第１の特別遊技が実行される場合は、当該第１の特別遊技の実行終了後に消化される予定である一又は複数の保留情報内に特定保留情報が存在すると、当該第１の特別遊技の実行中に保留内連荘演出を実行可能であり、
前記第２の当否判定の結果が大当りとなることで第１の特別遊技が実行される場合、第１の特別遊技の実行中に行われる演出態様として演出態様Ａおよび演出態様Ｂを少なくとも有し、
第１の特別遊技の実行中に演出態様Ａが行われる場合であっても演出態様Ｂが行われる場合であっても、第１の特別遊技の実行中に保留内連荘演出を実行可能であることを特徴とする、ぱちんこ遊技機。
【手続補正２】
【補正対象書類名】明細書
【補正対象項目名】０００７
【補正方法】変更
【補正の内容】
【０００７】
このような目的達成のために、本発明に係るぱちんこ遊技機は、遊技領域が形成された遊技盤と、前記遊技領域に設けられ、遊技球が入球可能な第１始動口と、前記遊技領域に設けられ、遊技球が入球容易な開状態と入球困難な閉状態とに変化する第２始動口と、前記第１始動口への遊技球の入球を契機として乱数値を取得する第１乱数取得手段と、前記第２始動口への遊技球の入球を契機として乱数値を取得する第２乱数取得手段と、前記第１乱数取得手段により取得した乱数値に基づき第１の当否判定を実行する第１当否判定手段と、前記第２乱数取得手段により取得した乱数値に基づき第２の当否判定を実行する第２当否判定手段と、前記遊技領域に設けられ、前記第１の当否判定の結果又は前記第２の当否判定の結果に応じて開放されて遊技球が入球可能な大入賞口と、前記第１の当否判定の結果又は前記第２の当否判定の結果が大当りとなる場合に、前記大入賞口の開放を伴う単位遊技を複数回繰り返す特別遊技を実行する特別遊技実行手段と、前記第１の当否判定の結果および前記第２の当否判定の結果が所定確率で大当りとなる低確率状態と、前記第１の当否判定の結果および前記第２の当否判定の結果が前記所定確率よりも高確率で大当りとなる高確率状態とを有し、低確率状態もしくは高確率状態へ移行させる制御を行う抽選状態制御手段と、通常入球状態と、当該通常入球状態よりも前記第２始動口へ入球容易となる入球容易状態とを有し、通常入球状態もしくは入球容易状態へ移行させる制御を行う入球状態制御手段と、前記第１乱数取得手段により乱数値が取得された場合、第１当否判定許可条件を充足するまでの間、当該取得した乱数値を保留情報として所定の上限数まで記憶する第１保留記憶手段と、前記第２乱数取得手段により乱数値が取得された場合、第２当否判定許可条件を充足するまでの間、当該取得した乱数値を保留情報として所定の上限数まで記憶する第２保留記憶手段と、前記当否判定の結果を示唆する演出が表示される演出表示装置と、或る保留情報に係る乱数値に基づく前記当否判定の結果が大当りとなる状況下、当該乱数値に係る特別遊技の実行終了後に消化される予定である一又は複数の保留情報内に特定保留情報が存在する可能性を示唆又は報知する保留内連荘演出の実行可否を決定する先読み予告制御手段とを備え、前記特定遊技状態にて前記第２の当否判定の結果が大当りとなることで特別遊技が実行される場合、当該特別遊技の実行中において、保留内連荘演出を実行可能であり、前記第２の当否判定の結果が大当りとなることで実行される特別遊技の種類として、賞球獲得期待値が第１の期待値となる第１の特別遊技と、賞球獲得期待値が前記第１の期待値よりも小さい第２の期待値となる第２の特別遊技とを含み、前記第１の当否判定の結果が大当りとなることで実行される特別遊技の種類として第３の特別遊技を含み、特別遊技の実行期間は、特別遊技の実行開始から初回となる単位遊技の実行開始までの待機期間である開始デモ期間と、初回となる単位遊技の実行開始から最終回となる単位遊技の実行終了までの単位遊技実行期間と、最終回となる単位遊技の実行終了から特別遊技の実行終了までの待機期間である終了デモ期間と、を含み、低確率状態且つ通常入球状態において前記第１の当否判定の結果が大当りとなることで実行される第３の特別遊技の終了後に低確率状態且つ入球容易状態へ移行する場合、終了デモ期間として第１時間が設定され、低確率状態且つ入球容易状態において前記第２の当否判定の結果が大当りとなることで実行される第１の特別遊技の終了後に高確率状態且つ入球容易状態へ移行する場合、終了デモ期間として前記第１時間よりも長い第２時間が設定され、低確率状態且つ入球容易状態において前記第２の当否判定の結果が大当りとなることで第１の特別遊技が実行される場合は、当該第１の特別遊技の実行終了後に消化される予定である一又は複数の保留情報内に特定保留情報が存在しても、当該第１の特別遊技の実行中に保留内連荘演出を実行しない一方、高確率状態且つ入球容易状態において前記第２の当否判定の結果が大当りとなることで第１の特別遊技が実行される場合は、当該第１の特別遊技の実行終了後に消化される予定である一又は複数の保留情報内に特定保留情報が存在すると、当該第１の特別遊技の実行中に保留内連荘演出を実行可能であり、前記第２の当否判定の結果が大当りとなることで第１の特別遊技が実行される場合、第１の特別遊技の実行中に行われる演出態様として演出態様Ａおよび演出態様Ｂを少なくとも有し、第１の特別遊技の実行中に演出態様Ａが行われる場合であっても演出態様Ｂが行われる場合であっても、第１の特別遊技の実行中に保留内連荘演出を実行可能であることを特徴とする。